(57)【要約】【課題】コストアップを避けるとともに、常に良好なキークリック感を得る。【解決手段】開示される電子機器の入力装置の構造は、ガラスエポキシ樹脂、セラミックス等から成るプリント基板１上に円形状の第１の固定接点（第１の導電層）２及びこの第１の固定接点２と同心状にリング状の第２の固定接点３が設けられ、第１の固定接点２と非接触に対向する可動接点（第２の導電層）を構成するりん青銅、ＳＵＳ等の導電材料から成り、略頂上部に上面が平坦な面となるような突出部４Ａが一体に形成されたドーム状可撓性部材４を有するドームスイッチ５と、ドームスイッチ５の上部に隣接して配置されてドームスイッチ５と対向する面（裏面）６Ａが平坦に形成されたキートップ６とから構成されている。【選択図】      図１
2004311342.tif 000002
【特許請求の範囲】
【請求項１】
基板上に設けられた第１の導電層と非接触に対向する第２の導電層が設けられたドーム状可撓性部材を有するドームスイッチと、該ドームスイッチに隣接して配置されて前記ドーム状可撓性部材を押圧して前記第１の導電層と前記第２の導電層とを電気的に接触させるためのキートップとから構成される電子機器の入力装置の構造であって、
前記ドーム状可撓性部材の略頂上部に、該ドーム状可撓性部材と一体に前記キートップにより押圧される突出部が形成されていることを特徴とする電子機器の入力装置の構造。
【請求項２】
前記突出部は、前記ドーム状可撓性部材を構成する材料と同一材料から成ることを特徴とする請求項１記載の電子機器の入力装置の構造。
【請求項３】
前記突出部の上面が、平坦に形成されていることを特徴とする請求項１又は２記載の電子機器の入力装置の構造。
【請求項４】
前記ドーム状可撓性部材が、少なくとも周囲部が前記基板上に固定された絶縁性シートにより覆われる一方、前記キートップの前記ドームスイッチと対向する面にキートップ固定シートが取り付けられていることを特徴とする請求項１、２又は３記載の電子機器の入力装置の構造。
【請求項５】
前記突出部と対向する前記キートップの面が、あるいは前記突出部と対向する前記キートップ固定シートの面が、平坦に形成されていることを特徴とする請求項１乃至４のいずれか１に記載の電子機器の入力装置の構造。
【請求項６】
前記ドーム状可撓性部材が、前記第２の導電層を兼ねる導電材料から成ることを特徴とする請求項１乃至５のいずれか１に記載の電子機器の入力装置の構造。
【請求項７】
前記ドーム状可撓性部材が絶縁材料から成り、該絶縁材料の少なくとも前記第１の導電層と対向する面に前記第２の導電層が形成されていることを特徴とする請求項１乃至５のいずれか１に記載の電子機器の入力装置の構造。
【請求項８】
前記電子機器が携帯電話機から成ることを特徴とする請求項１乃至７のいずれか１に記載の電子機器の入力装置の構造。
【発明の詳細な説明】
【０００１】
【発明の属する技術分野】
この発明は、電子機器の入力装置の構造に係り、詳しくは、固定接点（第１の導電層）と非接触に対向する可動接点（第２の導電層）が設けられたドームスイッチと、ドームスイッチを押圧して固定接点と可動接点とを電気的に接触させるためのキートップとから構成される電子機器の入力装置の構造に関する。
【０００２】
【従来の技術】
例えば携帯電話機、ＰＤＡ（Ｐｅｒｓｏｎａｌ  Ｄｉｇｉｔａｌ  Ａｓｓｉｓｔａｎｔｓ：個人向け携帯型情報通信機器）、携帯用ＧＰＳ（Ｇｌｏｂａｌ  Ｐｏｓｉｔｉｏｎｉｎｇ  Ｓｙｓｔｅｍ）等の携帯用電子機器の入力装置として、利用者のクリック操作によりオン、オフを繰り返すように構成されているドームスイッチが広く用いられている。このドームスイッチは、利用者がドームスイッチに隣接して配置されているキートップを押圧（クリック）することで、ドームスイッチに設けられている一対の接点（導電層）間を開閉してスイッチ動作を行うので、操作が簡単であり、また、構造が単純なので故障が少ない、電子機器を構成する基板上で余分なスペースを占有しない等の利点を有しているため、スペースの点で制約を受けている上述したような携帯用電子機器に適している。
【０００３】
図８〜図１２は、上述したような携帯用電子機器に従来から用いられている入力装置（キースイッチ）の構造の一例を示すもので、図８は同入力装置の構造を示す平面図、図９は図８のＡ−Ａ矢視断面図、図１０〜図１２は同入力装置の構造を示す断面図である。同入力装置５０の構造は、図８〜図１２に示すように、プリント基板５１上に円形状の第１の固定接点（第１の導電層）５２及びこの第１の固定接点５２と同心状にリング状の第２の固定接点５３が設けられ、第１の固定接点５２と非接触に対向する可動接点（第２の導電層）を構成する導電材料から成るドーム状可撓性部材５４を有するドームスイッチ５５と、ドームスイッチ５５に隣接して配置されて押圧部５６Ａがドーム状可撓性部材５４を押圧して、第１の固定接点５２と可動接点を兼ねるドーム状可撓性部材５４とを電気的に接触させるためのキートップ５６とから構成されている。なお、可動接点であるドーム状可撓性部材５４は常時第２の固定接点５３に接続されている。符号５７は、入力装置５０を含めた携帯用電子機器の全体を覆うケース（筐体）である。
【０００４】
このような入力装置５０の構造は、図９に示すように、ドーム状可撓性部材５４の中心部ＣＬ１とキートップ５６の中心部（すなわち、押圧部５６Ａの中心部）ＣＬ２とが位置合わせされた状態で組み立てられる。そして、入力装置５０を操作するときは、図１０に示すように、利用者がキートップ５６に触れてその押圧部５６Ａを介してドーム状可撓性部材５４を押圧することにより、ドーム状可撓性部材５４が中心部ＣＬ１に対して均一な形状で弾性変形して下降するので、可動接点であるドーム状可撓性部材５４が対向する第１の固定接点５２と電気的に接触してドームスイッチ５５がオンする。そして、良好なキークリック感を得ることができる。
【０００５】
しかしながら、入力装置５０の組立時に、部品精度、組立精度等のばらつきにより、図１１に示すように、ドーム状可撓性部材５４の中心部ＣＬ１とキートップ５６の中心部ＣＬ２とがずれてキートップ５６が偏心した場合には、入力装置５０を操作したときに、図１２に示すように、ドーム状可撓性部材５４が中心部ＣＬ１に対して均一な形状で弾性変形しなくなる。そして、ドーム状可撓性部材５４がクリック特性を越えて偏心した場合には、良好なキークリック感が得られなくなる。したがって、ドームスイッチ５５が正常に動作したか否かが判断できなくなるので、キー操作性が低下するようになる。また、最悪の場合は、キーメーク不良が発生する。
【０００６】
図１３〜図１６は、従来の入力装置の構造の他の例を示す断面図である。同入力装置６０の構造は、前述した入力装置５０のそれと比較して、複数のドーム状可撓性部材５４を連結するために各ドーム状可撓性部材５４が、少なくとも周囲部が基板５１上に接着剤により固定されたドーム固定シート（絶縁性シート）５８により覆われる一方、複数のキートップ５６同士の連結や防水を図るために各キートップ５６のドームスイッチ５５と対向する面にラバーシート（キートップ固定シート）５９が接着剤により取り付けられている点が異なっている。実際には、ドーム固定シート５８の接着力によりドーム状可撓性部材５４の上面も固定されていて、ドーム状可撓性部材５４が不要に動くのを防止している。そして、前述の入力装置５０におけるキートップ５６の押圧部５６Ａを不要とする代わりに、ラバーシート５９のドーム状可撓性部材５４と対向する面に押圧部５９Ａが設けられている。
【０００７】
この構造の入力装置６０においても、図１４に示すように、ドーム状可撓性部材５４の中心部ＣＬ１とキートップ５６の中心部ＣＬ２とが位置合わせされた状態で組み立てられている場合には良好なキークリック感が得られるが、図１５及び図１６に示すように、ドーム状可撓性部材５４の中心部ＣＬ１とキートップ５６の中心部ＣＬ２とがずれてキートップ５６が偏心した状態で組み立てられた場合には、前述した入力装置５０の構造と同様な理由で、良好なキークリック感が得られなくなる。
【０００８】
上述したような携帯用電子機器に適用される入力装置の構造（第１の従来例）が開示されている（例えば、特許文献１参照。）。同入力装置１００の構造は、図１７に示すように、基板１０１上に設けられた固定接点１０２と非接触に対向する可動接点１０３が設けられたポリエステル系樹脂等から成るドーム状可撓性部材１０４を有するドームスイッチ１０５と、ドーム状可撓性部材１０４上に設けられて防水・防塵の役目をするパッキン部１０６と一体化されたシリコーンゴム等から成る押圧力伝達部材としてのアクチュエート部１０７と、アクチュエート部１０７を介してドーム状可撓性部材１０４を押圧してドームスイッチ１０５をオン、オフさせるためのキートップ部１０８とから構成されている。ここで、ドーム状可撓性部材１０４とアクチュエート部１０７とは接着剤等により貼り合わせられている。
【０００９】
上述したような携帯用電子機器に適用される他の入力装置の構造（第２の従来例）が開示されている（例えば、特許文献２参照。）。同入力装置２００の構造は、図１８に示すように、ＰＥＴ（ポリエチレンテレフタレート）、ＰＥＮ（ポリエチレンナフタレート）等から成る樹脂シート２０１の下部に接着された凸部２０２を頂部に有するＰＥＴ、ＳＵＳ（Ｓｐｅｃｉａｌ  Ｕｓｅ  Ｓｔａｉｎｌｅｓｓ  ｓｔｅｅｌ）等から成るドーム状のクリック感発生用皿バネ２０３と、樹脂シート２０１の上部に接着されたポリエステル、ポリウレタン等から成るキートップ部材２０４とから構成されている。ここで、凸部２０２はクリック感発生用皿バネ２０３の頂部に深絞りにより形成されている。
【００１０】
【特許文献１】
特開２００１−１５５５８６号公報（第３頁、図１）。
【特許文献２】
特開２００２−２９８６９０号公報（第２〜３頁、図１）。
【特許文献３】
特開２００１−１５５５７６号公報。
【特許文献４】
特開平１０−１２５１７２号公報。
【特許文献５】
特開平１１−００７８６２号公報。
【００１１】
【発明が解決しようとする課題】
しかしながら、特許文献１、２に開示されている携帯用電子機器の入力装置の構造では、ドームスイッチを構成するドーム状可撓性部材が複雑に組立てられているのでコストアップになり、また良好なキークリック感が得られない、という問題がある。
まず、特許文献１に開示されている第１の従来例では、図１７に示したように、ポリエステル系樹脂等から成るドーム状可撓性部材１０４上にシリコーンゴム等から成る押圧力伝達部材としてのアクチュエート部１０７が接着されているので、それぞれ別の材料を用意して組立てなければならならず、組立てが複雑になるため、コストアップが避けられなくなる。
【００１２】
次に、特許文献２に開示されている第２の従来例では、図１８に示したように、ドーム状のクリック感発生用皿バネ２０３はこの頂部に形成されている凸部２０２が、キートップ部材２０４が上部に接着されている樹脂シート２０１の下部に接着されているので、ドーム状のクリック感発生用皿バネ２０３は常に樹脂シート２０１と一体に動くようになる。したがって、キートップ部材２０４を操作した際に樹脂シート２０１に無理な力が加わった場合には、この力がそのままクリック感発生用皿バネ２０３に加わることになるため、クリック感発生用皿バネ２０３が不自然に変形するおそれがあるので、良好なキークリック感が得られなくなる。
【００１３】
この発明は、上述の事情に鑑みてなされたもので、コストアップを避けるとともに、常に良好なキークリック感を得ることができるようにした電子機器の入力装置の構造を提供することを目的としている。
【００１４】
【課題を解決するための手段】
上記課題を解決するために、請求項１記載の発明は、基板上に設けられた第１の導電層と非接触に対向する第２の導電層が設けられたドーム状可撓性部材を有するドームスイッチと、該ドームスイッチに隣接して配置されて上記ドーム状可撓性部材を押圧して上記第１の導電層と上記第２の導電層とを電気的に接触させるためのキートップとから構成される電子機器の入力装置の構造に係り、上記ドーム状可撓性部材の略頂上部に、該ドーム状可撓性部材と一体に上記キートップにより押圧される突出部が形成されていることを特徴としている。
【００１５】
また、請求項２記載の発明は、請求項１記載の電子機器の入力装置の構造に係り、上記突出部は、上記ドーム状可撓性部材を構成する材料と同一材料から成ることを特徴としている。
【００１６】
また、請求項３記載の発明は、請求項１又は２記載の電子機器の入力装置の構造に係り、上記突出部の上面が、平坦に形成されていることを特徴としている。
【００１７】
また、請求項４記載の発明は、請求項１、２又は３記載の電子機器の入力装置の構造に係り、上記ドーム状可撓性部材が、少なくとも周囲部が上記基板上に固定された絶縁性シートにより覆われる一方、上記キートップの上記ドームスイッチと対向する面にキートップ固定シートが取り付けられていることを特徴としている。
【００１８】
また、請求項５記載の発明は、請求項１乃至４のいずれか１に記載の電子機器の入力装置の構造に係り、上記突出部と対向する上記キートップの面が、あるいは上記突出部と対向する上記キートップ固定シートの面が、平坦に形成されていることを特徴としている。
【００１９】
また、請求項６記載の発明は、請求項１乃至５のいずれか１に記載の電子機器の入力装置の構造に係り、上記ドーム状可撓性部材が、上記第２の導電層を兼ねる導電材料から成ることを特徴としている。
【００２０】
また、請求項７記載の発明は、請求項１乃至５のいずれか１に記載の電子機器の入力装置の構造に係り、上記ドーム状可撓性部材が絶縁材料から成り、該絶縁材料の少なくとも上記第１の導電層と対向する面に上記第２の導電層が形成されていることを特徴としている。
【００２１】
また、請求項８記載の発明は、請求項１乃至７のいずれか１に記載の電子機器の入力装置の構造に係り、上記電子機器が携帯電話機から成ることを特徴としている。
【００２２】
【発明の実施の形態】
以下、図面を参照して、この発明の実施の形態について説明する。説明は、実施例を用いて具体的に行なう。
◇第１実施例
図１は、この発明の第１実施例である電子機器の入力装置の構造を示す断面図、図２は同電子機器の入力装置の構造の動作を示す断面図、図３は同電子機器の入力装置の構造の動作を示す断面図である。この例では、携帯用電子機器として携帯電話に適用した例で説明する。
この例の電子機器の入力装置１０の構造は、図１に示すように、ガラスエポキシ樹脂、セラミックス等から成るプリント基板１上に円形状の第１の固定接点（第１の導電層）２及びこの第１の固定接点２と同心状にリング状の第２の固定接点３が設けられ、第１の固定接点２と非接触に対向する可動接点（第２の導電層）を構成するりん青銅、ＳＵＳ等の導電材料から成り、略頂上部に上面が平坦な面となるような突出部４Ａが一体に形成されたドーム状可撓性部材４を有するドームスイッチ５と、ドームスイッチ５の上部に隣接して配置されてドームスイッチ５と対向する面（裏面）６Ａが平坦に形成されたキートップ６とから構成されている。この例では、ドーム状可撓性部材４は、導電材料により構成することで固定接点を兼ねていることになる。
【００２３】
また、第１及び第２の固定接点２、３は、銅あるいは銅を主成分とする導電材料により構成され、キートップ６は、ＰＥＴ、ＰＥＮ、ＡＢＳ（アクリロニトリル・ブタジエン・スチレン）樹脂、ポリエステル、ポリウレタン、ポリカーボネート等の絶縁材料、あるいはアルミニウム等の金属材料により構成される。なお、可動接点を兼ねて用いられるドーム状可撓性部材４は、常時第２の固定接点３に接続されている。符号７は、入力装置１０を含めた携帯用電子機器の全体を覆うケース（筐体）である。
【００２４】
ここで、突出部４Ａは、上述したようなりん青銅、ＳＵＳ等の導電材料を用いてドーム状可撓性部材４を形成するとき、絞り加工によりドーム状可撓性部材４の略頂上部に一体に形成する。このように同一の導電材料を用いて突出部４Ａと一体にドーム状可撓性部材４を形成することにより、従来の図１７に示したように、別な材料を用いる必要がないため、ドーム状可撓性部材４の組み立てが簡単になるので、コストアップを避けることができる。また、ドーム状可撓性部材４は、従来の図１８に示したように、樹脂シートに接着されていないので、キートップを操作した際に樹脂シートに無理な力が加わってもこの力の影響を受けないため、ドーム状可撓性部材が不自然に変形するおそれがなく、良好なキークリック感を得ることができる。
【００２５】
このような入力装置１０の構造は、図１に示すように、ドーム状可撓性部材４の中心部（すなわち、突出部４Ａの中心部）ＣＬ１とキートップ６の中心部ＣＬ２とが位置合わせされた状態で組み立てられる。
【００２６】
次に、図２及び図３を参照して、この例の電子機器の入力装置の構造の動作について説明する。
上述したように、ドーム状可撓性部材４の中心部ＣＬ１とキートップ６の中心部ＣＬ２とが位置合わせされた状態で組み立てられた電子機器においては、入力装置１０を操作するとき、図２に示すように、利用者がキートップ６に触れてその裏面６Ａの平坦な面が突出部４Ａを押圧することにより、突出部４Ａと一体に形成されているドーム状可撓性部材４が中心部ＣＬ１に対して均一な形状で弾性変形して下降するので、可動接点であるドーム状可撓性部材４が対向する第１の固定接点２と電気的に接触してドームスイッチ５がオンする。したがって、良好なキークリック感を得ることができる。
【００２７】
一方、入力装置１０の構造の組立時に、部品精度、組立精度等のばらつきにより、ドーム状可撓性部材４の中心部ＣＬ１とキートップ６の中心部ＣＬ２とがずれてキートップ６が偏心した状態で組み立てられた電子機器においても、この例の入力装置１０の構造によれば、上述の場合と同様に良好なキークリック感を得ることができる。
すなわち、入力装置１０を操作すると、図３に示すように、利用者がキートップ６に触れてその裏面６Ａの平坦な面が突出部４Ａの上面の平坦な面を押圧することにより、突出部４Ａと一体に形成されているドーム状可撓性部材４が中心部ＣＬ１に対して均一な形状で弾性変形して下降するので、可動接点であるドーム状可撓性部材４が対向する第１の固定接点２と電気的に接触してドームスイッチ５がオンする。したがって、キートップ６が偏心していても、良好なキークリック感を得ることができる。
【００２８】
このように、この例の電子機器の入力装置の構造によれば、ガラスエポキシ樹脂、セラミックス等から成るプリント基板１上に円形状の第１の固定接点（第１の導電層）２及びこの第１の固定接点２と同心状にリング状の第２の固定接点３が設けられ、第１の固定接点２と非接触に対向する可動接点（第２の導電層）を構成するりん青銅、ＳＵＳ等の導電材料から成り、略頂上部に上面が平坦な面となるような突出部４Ａが一体に形成されたドーム状可撓性部材４を有するドームスイッチ５と、ドームスイッチ５の上部に隣接して配置されてドームスイッチ５と対向する面（裏面）６Ａが平坦に形成されたキートップ６とから構成されているので、キートップ６が偏心していても、ドーム状可撓性部材４が中心部ＣＬ１に対して均一な形状で弾性変形することができる。
したがって、コストアップを避けるとともに、常に良好なキークリック感を得ることができる。
【００２９】
◇第２実施例
図４は、この発明の第２実施例である電子機器の入力装置の構造を示す断面面、図５及び図６は、同電子機器の入力装置の構造の動作を示す断面図である。この例の電子機器の入力装置の構造の構成が、上述した第１実施例の構成と大きく異なるところは、複数のドーム状可撓性部材を連結するためにドーム状可撓性部材を絶縁性シートにより覆う一方、複数のキートップ同士の連結や防水を図るためにキートップのドームスイッチと対向する面にキートップ固定シートを取り付けるようにした点である。
この例の電子機器の入力装置２０の構造は、図４に示すように、第１実施例と比較して、複数のドーム状可撓性部材４を連結するために各ドーム状可撓性部材４が、少なくとも周囲部が基板１上に接着剤により固定されたＰＥＴ、ＰＥＮ等のポリエステル系から成るドーム固定シート（絶縁性シート）８により覆われる一方、複数のキートップ６同士の連結や防水を図るために各キートップ６のドームスイッチ５と対向する面にシリコーンゴム等の弾力性を有するラバーシート（キートップ固定シート）９が接着剤により取り付けられている点が異なっている。実際には、ドーム固定シート８の接着力によりドーム状可撓性部材４の上面も固定されていて、ドーム状可撓性部材４が不要に動くのを防止している。ここで、突出部４Ａと対向するラバーシート９の裏面９Ａは平坦に形成されている。
これ以外は、上述した第１実施例と略同様である。それゆえ、図４〜図６において、図１〜図３の構成部分と対応する各部には、同一の符号を付してその説明を省略する。
【００３０】
次に、図５及び図６を参照して、この例の電子機器の入力装置の構造の動作について説明する。
前述したように、ドーム状可撓性部材４の中心部ＣＬ１とキートップ６の中心部ＣＬ２とが位置合わせされた状態で組み立てられた電子機器においては、入力装置２０を操作するとき、図５に示すように、利用者がキートップ６に触れてラバーシート９の裏面９Ａの平坦な面が、ドーム固定シート９を介して突出部４Ａの上面の平坦な面を押圧することにより、突出部４Ａと一体に形成されているドーム状可撓性部材４が中心部ＣＬ１に対して均一な形状で弾性変形して下降するので、可動接点であるドーム状可撓性部材４が対向する第１の固定接点２と電気的に接触してドームスイッチ５がオンする。したがって、良好なキークリック感を得ることができる。
【００３１】
一方、入力装置２０の構造の組立時に、部品精度、組立精度等のばらつきにより、ドーム状可撓性部材４の中心部ＣＬ１とキートップ６の中心部ＣＬ２とがずれてキートップ６が偏心した状態で組み立てられた電子機器においても、この例の入力装置２０の構造によれば、上述の場合と同様に良好なキークリック感を得ることができる。
すなわち、入力装置２０を操作すると、図６に示すように、利用者がキートップ６に触れてラバーシート９の裏面９Ａの平坦な面が、絶縁性シート８を介して突出部４Ａの上面の平坦な面を押圧することにより、突出部４Ａと一体に形成されているドーム状可撓性部材４が中心部ＣＬ１に対して均一な形状で弾性変形して下降するので、可動接点であるドーム状可撓性部材４が対向する第１の固定接点２と電気的に接触してドームスイッチ５がオンする。したがって、キートップ６が偏心していても、良好なキークリック感を得ることができる。
【００３２】
このように、この例の電子機器の入力装置の構造によれば、複数のドーム状可撓性部材４を連結するために各ドーム状可撓性部材４が、少なくとも周囲部が基板１上に接着剤により固定されたＰＥＴ、ＰＥＮ等のポリエステル系から成るドーム固定シート（絶縁性シート）８により覆われる一方、複数のキートップ６同士の連結や防水を図るために各キートップ６のドームスイッチ５と対向する面にシリコーンゴム等の弾力性を有するラバーシート（キートップ固定シート）９が接着剤により取り付けられているので、特に携帯性の特徴を生かして防水構造を備えた携帯用電子機器に適用して大きな効果を得ることができる。
【００３３】
このように、この例の構成によっても、第１実施例において述べたのと略同様な効果を得ることができる。
加えて、この例の構成によれば、防水構造を備えているので防水性を向上させることができる。
【００３４】
◇第３実施例
図７は、この発明の第３実施例である電子機器の入力装置の構造の主要部を示す断面図である。この例の電子機器の入力装置の構造の構成が、上述した第１実施例及び第２実施例の構成と大きく異なるところは、ドーム状可撓性部材を絶縁材料により構成するようにした点である。
この例の電子機器の入力装置の構造に用いるドーム状可撓性部材１１は、図７に示すように、第１及び第２実施例と比較して、ＰＥＴ、ＰＥＮ、ＡＢＳ樹脂、ポリエステル、ポリウレタン、ポリカーボネート等の絶縁材料１２を用いて、この絶縁材料１２の第１の固定接点２と対向する内面及び端面に、カーボン、銀等の可動接点（第２の導電層）１３を形成している点が異なっている。
これ以外は、上述した第１実施例と略同様である。それゆえ、図７において、図１〜図６の構成部分と対応する各部の図示は省略する。
【００３５】
この例のドーム状可撓性部材１１を用いた電子機器の入力装置の構造によれば、絶縁材料１２の第１の固定接点（第１の導電層）２と対向する内面及び端面の限定された領域にのみ固定接点（第２の銅層）１３を形成することができるので、信頼性の高いドームスイッチ５を形成することができるようになる。また、金属材料に比較して安価な絶縁材料を用いてドームスイッチを構成することが可能なので、コストダウンを図ることも可能になる。
【００３６】
また、この例のドーム状可撓性部材１１を用いた電子機器の入力装置の構造によれば、例えば図１〜図３に示した第１実施例に適用した例で説明すると、ドーム状可撓性部材４の中心部ＣＬ１とキートップ６の中心部ＣＬ２とがずれてキートップ６が偏心した状態で組み立てられた電子機器においても、入力装置１０を操作すると、図３と略同様に、利用者がキートップ６に触れてその裏面６Ａの平坦な面が突出部４Ａの上面の平坦な面を押圧することにより、突出部４Ａと一体に形成されているドーム状可撓性部材１１が中心部ＣＬ１に対して均一な形状で弾性変形して下降するので、ドーム状可撓性部材１１の可動接点である第２の導電層１３が対向する第１の固定接点２と電気的に接触してドームスイッチ５がオンする。なお、ドーム状可撓性部材１１の第２の導電層１３は第１実施例と同様に、絶縁材料の端面に形成されている導電層１３を通じて、常時第２の固定接点３に接続されている。したがって、この例によっても、キートップ６が偏心していても、良好なキークリック感を得ることができる。
【００３７】
このように、この例の構成によっても、第１実施例及び第２実施例において述べたのと略同様な効果を得ることができる。
加えて、この例の構成によれば、ドームスイッチを安価に形成することが可能になる。
【００３８】
以上、この発明の実施例を図面により詳述してきたが、具体的な構成はこの実施例に限られるものではなく、この発明の要旨を逸脱しない範囲の設計の変更などがあってもこの発明に含まれる。例えばキートップ固定シートとしてはラバーシートのような絶縁材料を用いる例で説明したが、絶縁材料に限らずにアルミニウムシートのような導電材料を用いることができる。また、例えばドームスイッチの第１の固定接点の形状は、各実施例で示した円形状に限ることなく楕円形状に変形することができる。また、ドームスイッチの第２の固定接点の形状は、各実施例で示したリング状に限ることなく、リング状以外の枠状に形成してもよい。また、携帯性の特徴を生かして防水構造を備えた携帯用電子機器に適用することにより、大きな効果が得られるが、携帯用電子機器に限らずに、金融機関における現金自動預払機、交通機関における自動券売機等の電子機器、あるいは工業用の各種機械等の入力装置、さらには腕時計等のその他の装置にも適用することができる。
【００３９】
【発明の効果】
以上説明したように、この発明の電子機器の入力装置の構造によれば、基板上に第１の導電層が設けられ、第１の導電層と非接触に対向する第２の導電層が設けられて、略頂上部に上面が平坦な面となるような突出部が一体に形成されたドーム状可撓性部材を有するドームスイッチと、ドームスイッチに隣接して配置されてドームスイッチと対向する面が平坦に形成されたキートップとから構成されているので、キートップが偏心していても、ドーム状可撓性部材が中心部に対して均一な形状で弾性変形することができる。
したがって、コストアップを避けるとともに、常に良好なキークリック感を得ることができる。
【図面の簡単な説明】
【図１】この発明の第１実施例である電子機器の入力装置の構造を示す断面図である。
【図２】同電子機器の入力装置の構造の動作を示す断面図である。
【図３】同電子機器の入力装置の構造の動作を示す断面図である。
【図４】この発明の第２実施例である電子機器の入力装置の構造を示す断面図である。
【図５】同電子機器の入力装置の構造の動作を示す断面図である。
【図６】同電子機器の入力装置の構造の動作を示す断面図である。
【図７】この発明の第３実施例である電子機器の入力装置の構造の主要部を示す断面図である。
【図８】従来の電子機器の入力装置の構造の欠点を説明するための平面図である。
【図９】図８のＡ−Ａ矢視断面図である。
【図１０】同入力装置の構造を示す断面図である。
【図１１】同入力装置の構造を示す断面図である。
【図１２】同入力装置の構造を示す断面図である。
【図１３】従来の電子機器の入力装置の構造の他の例の欠点を説明するための断面図である。
【図１４】同入力装置の構造を示す断面図である。
【図１５】同入力装置の構造を示す断面図である。
【図１６】同入力装置の構造を示す断面図である。
【図１７】従来の電子機器の入力装置の構造（第１の従来例）を示す断面図である。
【図１８】従来の電子機器の入力装置の構造（第２の従来例）を示す断面図である。
【符号の説明】
１      プリント基板
２      第１の固定接点（第１の導電層）
３      第２の固定接点
４      ドーム状可撓性部材（第２の導電層）
４Ａ      突出部
５      ドームスイッチ
６      キートップ
６Ａ      キートップの裏面
７      ケース（筐体）
８      ドーム固定シート（絶縁性シート）
９      ラバーシート（キートップ固定シート）
９Ａ      ラバーシートの裏面
１０、２０      電子機器の入力装置
１１      ドーム状可撓性部材
１２      絶縁材料
１３      可動接点（第２の導電層）
【図１】
2004311342.tif 000003
【図２】
2004311342.tif 000004
【図３】
2004311342.tif 000005
【図４】
2004311342.tif 000006
【図５】
2004311342.tif 000007
【図６】
2004311342.tif 000008
【図７】
2004311342.tif 000009
【図８】
2004311342.tif 000010
【図９】
2004311342.tif 000011
【図１０】
2004311342.tif 000012
【図１１】
2004311342.tif 000013
【図１２】
2004311342.tif 000014
【図１３】
2004311342.tif 000015
【図１４】
2004311342.tif 000016
【図１５】
2004311342.tif 000017
【図１６】
2004311342.tif 000018
【図１７】
2004311342.tif 000019
【図１８】
2004311342.tif 000020